(57)【特許請求の範囲】
【請求項１】
口部、肩部、胴部及び底部を備え、前記胴部の高さ方向に直交する横断面が方形状とされ、巻きラベルが装着された角型ボトル状の合成樹脂製容器であって、
前記胴部が、前記胴部の一部を径方向に絞り込むようにして設けられたウェスト部によって、上胴部と下胴部とに分けられ、かつ、前記ウェスト部が、前記上胴部の下端縁に接続する上胴部側斜面と、前記下胴部の上端縁に接続する下胴部側斜面とを有しており、
前記上胴部側斜面の上端縁を容器外方に向けて屈曲させるとともに、屈曲させた当該斜面が接続する前記上胴部の下端縁を高さ方向に沿って前記ウェスト部側に向けて突出させることによって、前記上胴部と前記ウェスト部との間に段部を形成し、
前記上胴部の上端縁に接続する前記肩部の下端縁を容器外方に向けて屈曲させるとともに、前記上胴部の上端縁を高さ方向に沿って前記肩部側に向けて突出させることによって、前記肩部と前記上胴部との間に段部を形成し、
前記上胴部と前記ウェスト部との間に形成される段部と、前記上胴部と前記肩部との間に形成される段部とが、少なくとも当該容器のコーナー部に位置するように形成され、
前記巻きラベルの上端側が、前記肩部と前記上胴部との境界に近接するとともに、前記巻きラベルの下端側が、前記上胴部と前記ウェスト部の境界に近接するように、前記巻きラベルが前記上胴部に装着されたことを特徴とする巻きラベルが装着された角型ボトル状の合成樹脂製容器。
【請求項２】
前記上胴部の長辺側又は短辺側の幅を前記下胴部の長辺側又は短辺側の幅よりも小さくした請求項１に記載の巻きラベルが装着された角型ボトル状の合成樹脂製容器。
【請求項３】
前記上胴部と前記ウェスト部との間に形成される段部と、
前記下胴部側斜面の下端縁を容器外方に向けて屈曲させるとともに、屈曲させた当該斜面が接続する前記下胴部の上端縁を高さ方向に沿って前記ウェスト部側に向けて突出させることによって、前記下胴部と前記ウェスト部との間に形成される段部のいずれか一方又は両方が、当該容器の全周にわたって形成されている請求項１又は２に記載の巻きラベルが装着された角型ボトル状の合成樹脂製容器。
【請求項４】
前記ウェスト部の底面と前記上胴部側に位置する上胴部側斜面との間、及び前記ウェスト部の底面と前記下胴部側に位置する下胴部側斜面との間の少なくとも一方に、容器内方に窪んだ凹溝を形成した請求項１〜３のいずれか一項に記載の巻きラベルが装着された角型ボトル状の合成樹脂製容器。
【請求項５】
少なくとも前記上胴部側斜面と前記底面との間に前記凹溝を形成した請求項４に記載の巻きラベルが装着された角型ボトル状の合成樹脂製容器。
【請求項６】
前記下胴部側斜面の下端縁を容器外方に向けて屈曲させるとともに、屈曲させた当該斜面が接続する前記下胴部の上端縁を高さ方向に沿って前記ウェスト部側に向けて突出させることによって、前記下胴部と前記ウェスト部との間に前記段部を形成するとともに、少なくとも前記下胴部側斜面と前記底面との間に前記凹溝を形成した請求項４に記載の巻きラベルが装着された角型ボトル状の合成樹脂製容器。
【発明の詳細な説明】
【技術分野】
【０００１】
本発明は、角型ボトル状に成形された合成樹脂製容器に関し、より詳しくは、巻きラベルが装着された角型ボトル状の合成樹脂製容器に関する。
【背景技術】
【０００２】
従来、ポリエチレンテレフタレートなどの合成樹脂を用いてプリフォームを形成し、次いで、このプリフォームを延伸ブロー成形などによってボトル状に成形してなる合成樹脂製の容器が、各種飲料品を内容物とする飲料用容器として知られている（特許文献１参照）。
【０００３】
また、この種の容器は、内容物が充填密封されるとともに、内容物を表示する種々のラベルが装着されて市場に供されており、そのようなラベルの一つとして、帯状に切り揃えられたラベルを容器の胴部に巻き付けて装着する、いわゆる、巻きラベルと称されるものが知られている。
【先行技術文献】
【特許文献】
【０００４】
【特許文献１】特開平１０−２９６１５号公報
【発明の概要】
【発明が解決しようとする課題】
【０００５】
ところで、この種の合成樹脂製容器に対しては、近年、その軽量化や、使用樹脂量の削減による低コスト化が強く求められるようになってきているため、可能な限り容器を薄肉に成形する試みが多々なされている。
しかしながら、単に容器を薄肉にしただけでは、薄肉にした分だけ容器の剛性が損なわれてしまうことから、そのような剛性低下に起因する問題が懸念されている。例えば、前述したような巻きラベルは、通常、粘着剤が塗布されたラベル端部を容器の側面に押し当てて仮止めしてから容器の周方向に沿って巻き付けていくが、このとき、容器の剛性が確保できていないと、ラベル端部を押し当てたときに容器が変形してしまい、ラベルの装着に支障が生じてしまうことがある。
【０００６】
本発明は、上記したような事情に鑑みてなされたものであり、巻きラベルを装着する際に、その装着に支障を来すことがないように、巻きラベルが装着される部位における横方向からの荷重に対する剛性がより高められた巻きラベルが装着された角型ボトル状の合成樹脂製容器の提供を目的とする。
【課題を解決するための手段】
【０００７】
本発明に係る合成樹脂製容器は、口部、肩部、胴部及び底部を備え、前記胴部の高さ方向に直交する横断面が方形状とされ、巻きラベルが装着された角型ボトル状の合成樹脂製容器であって、前記胴部が、前記胴部の一部を径方向に絞り込むようにして設けられたウェスト部によって、上胴部と下胴部とに分けられ、かつ、前記ウェスト部が、前記上胴部の下端縁に接続する上胴部側斜面と、前記下胴部の上端縁に接続する下胴部側斜面とを有しており、前記上胴部側斜面の上端縁を容器外方に向けて屈曲させるとともに、屈曲させた当該斜面が接続する前記上胴部の下端縁を高さ方向に沿って前記ウェスト部側に向けて突出させることによって、前記上胴部と前記ウェスト部との間に段部を形成し、前記上胴部の上端縁に接続する前記肩部の下端縁を容器外方に向けて屈曲させるとともに、前記上胴部の上端縁を高さ方向に沿って前記肩部側に向けて突出させることによって、前記肩部と前記上胴部との間に段部を形成し、前記上胴部と前記ウェスト部との間に形成される段部と、前記上胴部と前記肩部との間に形成される段部とが、少なくとも当該容器のコーナー部に位置するように形成され、前記巻きラベルの上端側が、前記肩部と前記上胴部との境界に近接するとともに、前記巻きラベルの下端側が、前記上胴部と前記ウェスト部の境界に近接するように、前記巻きラベルが前記上胴部に装着された構成としてある。
【発明の効果】
【０００８】
本発明によれば、角型ボトル状の合成樹脂製容器に巻きラベルを装着する際に、その装着に支障を来たすことがないように、巻きラベルが装着される部位における横方向からの荷重に対する剛性がより高められた、巻きラベルが装着された角型ボトル状の合成樹脂製容器を提供することができる。
【図面の簡単な説明】
【０００９】
【図１】本発明に係る合成樹脂製容器の実施形態の概略を示す説明図である。
【図２】本発明に係る合成樹脂製容器の実施形態の概略を示す説明図である。
【図３】本発明に係る合成樹脂製容器の実施形態の概略を示す説明図である。
【図４】本発明に係る合成樹脂製容器の実施形態の要部拡大断面図である。
【発明を実施するための形態】
【００１０】
以下、本発明の好ましい実施形態について、図面を参照しつつ説明する。
図１〜図３は、本実施形態に係る合成樹脂製容器の概略を示す説明図であり、図１（ａ）は正面図、図１（ｂ）は平面図、図１（ｃ）は底面図、図１（ｄ）は、図１（ａ）のＤ−Ｄ断面図である。また、図２（ａ）は、側面図、図２（ｂ）は、図１（ｂ）のＢ−Ｂ端面図であり、図３（ａ）は、図１（ｂ）のＡ−Ａ端面図、図３（ｂ）は、図１（ｂ）のＣ−Ｃ端面図である。
なお、図１（ｄ）に示す断面図では、切り口から覗き見ることかができる容器１の内部形状の図示を省略している。また、図２（ｂ）、図３（ａ）、図３（ｂ）に示す端面図では、それぞれの切り口の端面形状のみを示している。
【００１１】
本実施形態において、容器１は、例えば、公知の射出成形や圧縮成形などにより製造された、熱可塑性樹脂からなる有底筒状のプリフォームを二軸延伸ブロー成形するなどして、図示するような、口部２、肩部３、胴部４、及び底部５を備えた所定の容器形状に成形される。
容器１を成形するのに使用する熱可塑性樹脂としては、延伸ブロー成形が可能であれば、任意の樹脂を使用することができる。具体的には、ポリエチレンテレフタレート，ポリブチレンテレフタレート，ポリエチレンナフタレート，ポリカーボネート，ポリアリレート，ポリ乳酸又はこれらの共重合体などの熱可塑性ポリエステル，これらの樹脂あるいは他の樹脂とブレンドされたものなどが好適である。特に、ポリエチレンテレフタレートなどのエチレンテレフタレート系熱可塑性ポリエステルが、好適に使用される。また、アクリロニトリル樹脂，ポリプロピレン，プロピレン−エチレン共重合体，ポリエチレンなども使用することができる。
【００１２】
図示する例において、口部２は、円筒状とされ、このような口部２の開口端側の側面には、図示しない蓋体を取り付けるためのねじ山が、蓋体取り付け手段として設けられている。これにより、内容物を充填した後に、蓋体を口部２に取り付けることによって、容器１内を密封できるようになっている。
【００１３】
また、肩部３は、口部２と胴部４との間に位置し、口部２の直下から拡径しながら胴部４に連続するように形成されている。胴部４は、容器１の高さ方向の大半を占める部分であり、本実施形態にあっては、高さ方向に直交する横断面が、角部を丸めた矩形状となるようにしている。これにより、容器１は、角型ボトル状の容器形状とされている。
なお、高さ方向とは、口部２を上にして容器１を水平面に置いたときに、水平面に直交する方向に沿った方向をいうものとする。
【００１４】
また、胴部４は、胴部４の一部を径方向に絞り込むようにして設けられたウェスト部４０によって、上胴部４ａと下胴部４ｂとに分けられている。そして、胴部４を上胴部４ａと下胴部４ｂとに分けるウェスト部４０は、上胴部４ａの下端縁に接続する上胴部側斜面４０ａと、下胴部４ｂの上端縁に接続する下胴部側斜面４０ｂとを有している。
このようなウェスト部４０は、容器１の高さ方向ほぼ中央付近の剛性を高めるために胴部４の周方向に沿って設けられるが、上胴部側斜面４０ａと下胴部側斜面４０ｂとの間に底面４０ｃを備えると、軸荷重強度（高さ方向からの圧縮強度）も確保しやすくなり好ましい。また、上胴部側斜面４０ａ及び下胴部側斜面４０ｂを高さ方向に対し平行寄りに近づけ、図３（ａ）に示す高さ方向に対する上胴部側斜面４０ａの傾斜角度θａと高さ方向に対する下胴部側斜面４０ｂの傾斜角度θｂのそれぞれが１０〜４０°となるようにすると、軸荷重が加わったときに各斜面４０ａ，４０ｂが水平方向に倒れ込みにくくなるのでいっそう好ましくなる。
さらに、ウェスト部４０の剛性を確保するためには、上胴部４ａ側に位置する上胴部側斜面４０ａと底面４０ｃとの間、及び下胴部４ｂ側に位置する下胴部側斜面４０ｂと底面４０ｃとの間に、図示するような容器内方に窪んだ凹溝４０ｄ，４０ｅが形成されるようにするのが好ましい。
【００１５】
また、上胴部４ａには、周方向に沿って設けられた四つの横溝４１ａが、高さ方向にほぼ等間隔で配列されている。上胴部４ａに形成される横溝４１ａは、主として、容器１の軸荷重強度を確保するために設けられるが、内容物を高温で充填密封する場合には、冷却後に容器内の圧力が減少したときに、容器１を縦方向に変形（収縮）させることによって内圧の減少分を吸収するために設けることもできる。下胴部４ｂにも、同様の横溝４１ｂが高さ方向にほぼ等間隔で配列されている。
【００１６】
また、上記の如き横溝４１ａを上胴部４ａに設けるにあたり、図示する例にあっては、上胴部４ａの長辺側及び短辺側の各平面部において、その幅方向中央に、横溝４１ａよりも幅広で、かつ、横溝４１ａよりも深く窪んだ横溝補強凹ビード４２を横溝４１ａに重ねて設けている。その一方で、長辺側の幅方向中央におけるウェスト部４０から下胴部４ｂにかけた部分には、容器内方に窪ませた把持部４３を設けて、使用者が容器１を把持しやすくなるようにしている。
【００１７】
本実施形態において、容器１の上胴部４ａは、下胴部４ｂよりも長辺側又は短辺側の幅が僅かに小さくなっており、当該上胴部４ａには、容器１に充填密封される内容物を表示するための巻きラベルが装着される。容器１にラベルを装着する方法としては、例えば、特開平５−４２７９号公報や、特開２００５−２２６６２号公報、特開２００５−８２１５４号公報などに開示されている方法などが挙げられる。また、ラベルを装着するにあたり、上胴部４ａと下胴部４ｂとで長辺側又は短辺側の幅を異ならせ、かつ、長辺側又は短辺側の幅の小さい方に巻きラベルを装着することで、例えば、ライン搬送時や箱詰めしたときなどには容器どうしが接触するが、その際に、ラベルが擦れて痛んでしまうのを有効に回避することができる。さらに、本実施形態では、上胴部４ａの長辺側又は短辺側の幅を下胴部４ｂの長辺側又は短辺側の幅よりも小さくしているが、このような態様は、容器１を安定に正立させやすくすることができるため好ましい。
【００１８】
帯状に切り揃えられた当該巻きラベルが装着される範囲を図３（ｂ）に符号Ｒで示すが、本実施形態にあっては、巻きラベルの上端側が、肩部３と上胴部４ａとの境界に近接するとともに、巻きラベルの下端側が、上胴部４ａとウェスト部４０の境界に近接するように装着する。このようにして巻きラベルを装着するに際して、容器１は、巻きラベルの上端側と下端側のそれぞれが近接する上記各境界に段部４４，４５が形成されるようにして、横方向の荷重に対する剛性を高めることができるようにしている。
【００１９】
ここで、図３（ｂ）において一点鎖線αで囲む部分を図４（ａ）に拡大して示すとともに、図３（ｂ）において一点鎖線βで囲む部分を図４（ｂ）に拡大して示す。これらの図に示すように、肩部３と上胴部４ａとの境界にあっては、上胴部４ａの上端縁に接続する肩部３の下端縁を容器外方に向けて屈曲させるとともに（このとき肩部３の下端縁側に形成される屈曲部を符号４４ａで示す）、上胴部４ａの上端縁を高さ方向に沿って肩部３側に向けて上方に突出させることによって（このとき上胴部４ａの上端縁側に形成される突出部を符号４４ｂで示す）、肩部３と上胴部４ａとの間に段部４４が形成されるようにしている。
一方、上胴部４ａとウェスト部４０の境界にあっては、上胴部４ａの下端縁に接続するウェスト部４０の上胴部側斜面４０ａの上端縁を容器外方に向けて屈曲させるとともに（このとき上胴部側斜面４０ａの上端縁側に形成される屈曲部を符号４５ａで示す）、屈曲させた当該斜面４０ａが接続する上胴部４ａの下端縁を高さ方向に沿ってウェスト部４０側に向けて下方に突出させることによって（このとき上胴部４ａの下端縁側に形成される突出部を符号４５ｂで示す）、上胴部４ａとウェスト部４０との間に段部４５が形成されるようにしている。
【００２０】
このような段部４４，４５を形成することで、例えば、巻きラベルを装着する際に、その装着に支障を来すことがないように、巻きラベルが装着される部位における横方向からの荷重に対する剛性を高めることができる。
すなわち、巻きラベルを容器１に装着する際には、粘着剤が塗布されたラベル端部を容器１の側面に押し当てて仮止めしてから容器１の周方向に沿って巻き付けていくのは前述したとおりであるが、このとき、巻きラベルが装着される部位における横方向からの荷重に対する剛性を高めることによって、ラベル端部を押し当てたときに容器１が変形してしまうのを抑止して、ラベルの装着に支障が生じないようにすることができる。
また、上胴部側斜面４０ａと上胴部４ａの胴部壁面との交角が鈍く、これらの面どうしの交線である稜線が明瞭に出にくいことにより剛性が十分得られない場合、段部４５における屈曲部４５ａや突出部４５ｂによって効果的に補強できる。
【００２１】
また、本実施形態のように、本発明を角形ボトル状の容器１に適用するにあたっては、上胴部４ａと肩部３との間に形成される段部４４と、上胴部４ａとウェスト部４０との間に形成される段部４５は、少なくとも容器１のコーナー部に位置するように形成されていればよいが、横方向からの荷重に対する剛性を高めるには、上胴部４ａとウェスト部４０との間に形成される段部４５は、容器１の全周にわたって形成されるようにするのが好ましい。当該段部４５を容器１の全周にわたって形成することで、容器１をウェスト部４０で把持する際の上胴部側斜面４０ａの剛性を高めることも可能となる。
なお、上胴部４ａと肩部３との間に形成される段部４４も、必要に応じて容器１の全周にわたって形成されるようにすることができるのも言うまでもない。
【００２２】
以上、本発明について、好ましい実施形態を示して説明したが、本発明は、前述した実施形態にのみ限定されるものではなく、本発明の範囲で種々の変更実施が可能であることは言うまでもない。
【００２３】
例えば、前述した実施形態では、上胴部４ａと肩部３との間に段部４４を形成するとともに、上胴部４ａとウェスト部４０との間に段部４５を形成した例を示したが、本発明にあっては、上胴部４ａとウェスト部４０との間に形成された段部４５と同様の段部を、下胴部４ｂとウェスト部４０との間に形成してもよい。すなわち、下胴部４ｂとウェスト部４０の境界には、下胴部４ｂの上端縁に接続するウェスト部４０の上胴部側斜面４０ｂの下端縁を容器外方に向けて屈曲させるとともに、屈曲させた当該斜面４０ｂが接続する下胴部４ｂの上端縁を高さ方向に沿ってウェスト部４０側に向けて上方に突出させることによって、下胴部４ｂとウェスト部４０との間に段部が形成されるようにしてもよい。
【００２４】
ここで、上胴部４ａと下胴部４ｂとで長辺側又は短辺側の幅を異ならせ、かつ、長辺側又は短辺側の幅の小さい方に巻きラベルを装着することで、ラベルが擦れて痛んでしまうのを有効に回避することができるのは前述した通りであり、下胴部４ｂの長辺側又は短辺側の幅の方を小さくして、下胴部４ｂに巻きラベルを装着する場合には、下胴部４ｂとウェスト部４０との間に段部４５と同様の段部を形成し、当該段部に巻きラベルの上端側が近接するように装着するようにすればよい。
【００２５】
また、前述した実施形態で図示した容器１において、肩部３は、比較的幅広の大きな斜面で形成されており、横方向からの荷重に対してある程度の剛性を確保することが可能である。このような場合には、上胴部４ａと肩部３との間に形成される段部４４は、必要に応じて省略してもよく、本発明にあっては、上胴部４ａとウェスト部４０との間と下胴部４ｂとウェスト部４０との間のいずれか一方又は両方に、前述したような段部が形成されていればよい。
【００２６】
また、前述した実施形態では、ウェスト部４０の剛性を確保するために、上胴部側斜面４０ａと底面４０ｃとの間と、下胴部側斜面４０ｂと底面４０ｃとの間との両方に凹溝４０ｄ，４０ｅを形成した例を示したが、かかる凹溝４０ｄ，４０ｅを形成する場合には、これらのうち少なくとも一方を形成するようにしてもよい。具体的には、上胴部４ａと下胴部４ｂのいずれに巻きラベルが装着されるかを考慮し、上胴部４ａとウェスト部４０との間に段部を形成する場合には、少なくとも上胴部側斜面４０ａと底面４０ｃとの間に凹溝４０ｄを形成し、下胴部４ｂとウェスト部４０との間に段部を形成する場合には、少なくとも下胴部側斜面４０ｂと底面４０ｃとの間に凹溝４０ｅを形成するようにすればよい。このようにすれば、段部が設けられた側の上胴部４ａ又は下胴部４ｂを凹溝４０ｄ，４０ｅが補助的に補強することとなるため好ましい。
【００２７】
また、前述した実施形態では、胴部４の高さ方向に直交する横断面を矩形状としているが、当該横断面は正方形状としてもよい。
【産業上の利用可能性】
【００２８】
以上のような本発明に係る合成樹脂製容器は、ボトル状に成形される種々の合成樹脂製容器に適用できる。
【符号の説明】
【００２９】
１      容器
２      口部
３      肩部
４      胴部
４ａ      上胴部
４ｂ      下胴部
４０      ウェスト部
４０ａ      上胴部側斜面
４０ｂ      下胴部側斜面
４０ｃ      底面
４０ｄ，４０ｅ      凹溝
４４，４５      段部
５      底部
【図１】
0005598037.tif 000002
【図２】
0005598037.tif 000003
【図３】
0005598037.tif 000004
【図４】
0005598037.tif 000005